(57)【要約】【課題】端末が省電力モードに移行しても画像を表示し続けることが可能な画像表示装置を提供すること。【解決手段】画像を表示する表示部と、端末から送信される画像データを受信する受信部と、前記表示部により表示される表示画像を記憶する記憶部と、前記画像データに基づき、前記端末が省電力モードであるか否かを判定する判定部と、前記省電力モードと判定された場合に、前記記憶部に記憶されている前記表示画像を前記表示部に表示させる表示画像制御部と、を有する画像表示装置。【選択図】図３
2015155940.tif 000002
【特許請求の範囲】
【請求項１】
画像を表示する表示部と、
端末から送信される画像データを受信する受信部と、
前記表示部により表示される表示画像を記憶する記憶部と、
前記画像データに基づき、前記端末が省電力モードであるか否かを判定する判定部と、
前記省電力モードと判定された場合に、前記記憶部に記憶されている前記表示画像を前記表示部に表示させる表示画像制御部と、を有する
ことを特徴とする画像表示装置。
【請求項２】
前記判定部は、前記画像データが全面黒色の画像である場合に、前記端末が省電力モードであると判定する
ことを特徴とする請求項１に記載の画像表示装置。
【請求項３】
前記記憶部は、スクリーンセーバーの画像パターンを記憶し、
前記判定部は、前記画像データに前記画像パターンが含まれている場合に、前記端末が省電力モードであると判定する
ことを特徴とする請求項１又は２に記載の画像表示装置。
【請求項４】
前記記憶部は、カーソル画像を記憶し、
前記判定部は、前記画像データに前記カーソル画像が含まれていない場合に、前記端末が省電力モードであると判定する
ことを特徴とする請求項１から３の何れか一項に記載の画像表示装置。
【請求項５】
前記判定部は、前記画像データにおいて移動するアイコンを前記カーソル画像として抽出し、前記記憶部に記憶させる
ことを特徴とする請求項４に記載の画像表示装置。
【請求項６】
前記表示画像制御部は、前記受信部が、前記端末から省電力モードに移行することを通知された場合に、前記記憶部に記憶されている前記表示画像を前記表示部に表示させる
ことを特徴とする請求項１から５の何れか一項に記載の画像表示装置。
【請求項７】
前記端末が省電力モードであると判定された場合に、内蔵機器への電力供給を制限する電力制御部を有する
ことを特徴とする請求項６に記載の画像表示装置。
【請求項８】
画像を表示する表示部と、
端末から送信される画像データを受信する受信部と、
前記表示部により表示される表示画像を記憶する記憶部と、
を有する画像表示装置における画像表示方法であって、
前記画像データに基づいて、前記端末が省電力モードであるか否かを判定し、
前記省電力モードと判定された場合は、前記記憶部に記憶されている前記表示画像を前記表示部に投影させる
ことを特徴とする画像表示方法。
【発明の詳細な説明】
【技術分野】
【０００１】
本発明は、画像表示装置及び画像表示方法に関する。
【背景技術】
【０００２】
例えばＰＣ等の端末から送信される画像データを、スクリーン等に投影する投影装置等の画像表示装置が広く用いられている。この様な画像表示装置が省電力モードに移行しても、端末との情報通信を可能にする技術が提案されている（例えば、特許文献１参照）。
【発明の概要】
【発明が解決しようとする課題】
【０００３】
ここで、ＰＣ等の端末には、一定時間操作されないと省電力モードに移行して画面の表示を停止したり、表示画面をスクリーンセーバーに切り替えるものがある。この様な端末に接続された画像表示装置は、端末が省電力モードに移行すると、それまで表示していた画像が消えたり、スクリーンセーバーの画像を表示することとなる。
【０００４】
例えば端末に表示している画像を、画像表示装置に表示しながら行われる会議において、端末が一定時間以上操作されずに省電力モードに移行すると、上記した様に表示される画像が消え、会議が中断される場合がある。表示される画像を元の状態に戻すためには、端末を操作して省電力モードから復帰させる必要があり、会議の進行が妨げられる可能性がある。この様な状態を回避するためには、一定時間未満での端末操作を繰り返すか、省電力モードに移行しない様に設定する必要があり、煩雑な操作を要する。また、端末を省電力モードにすることができないため、省エネルギー化の観点からも好ましくない可能性がある。
【０００５】
本発明は上記に鑑みてなされたものであって、端末が省電力モードに移行しても画像を表示し続けることが可能な画像表示装置を提供することを目的とする。
【課題を解決するための手段】
【０００６】
本発明の一態様の画像表示装置によれば、画像を表示する表示部と、端末から送信される画像データを受信する受信部と、前記表示部により表示される表示画像を記憶する記憶部と、前記画像データに基づき、前記端末が省電力モードであるか否かを判定する判定部と、前記省電力モードと判定された場合に、前記記憶部に記憶されている前記表示画像を前記表示部に表示させる表示画像制御部と、を有する。
【発明の効果】
【０００７】
本発明の実施形態によれば、端末が省電力モードに移行しても画像を表示し続けることが可能な画像表示装置を提供できる。
【図面の簡単な説明】
【０００８】
【図１】実施形態に係る投影装置の使用態様を例示する図である。
【図２】実施形態に係る投影装置の構成を例示するブロック図である。
【図３】実施形態における画像投影処理のフローチャートを例示する図である。
【図４】実施形態における端末のモード判定処理のフローチャートを例示する図である。
【図５】画像データにおけるカーソルを例示する図である。
【図６】画像データにおいて移動するアイコンを例示する図である。
【図７】実施形態における端末のモード判定処理のフローチャートを例示する図である。
【発明を実施するための形態】
【０００９】
以下、図面を参照して発明を実施するための形態について説明する。各図面において、同一構成部分には同一符号を付し、重複した説明を省略する場合がある。
【００１０】
＜投影装置の使用態様＞
図１は、実施形態に係る投影装置１００の使用態様を例示する図である。投影装置１００は、画像表示装置の一例であり、例えば、ネットワーク機器に接続可能なプロジェクタである。
【００１１】
図１に示す様に、投影装置１００は、例えば有線又は無線により接続されるＰＣ等の端末２００から画像データを受信し、受信した画像データに基づいてスクリーン３００に画像を投影する。なお、端末２００は、例えばスマートフォン、タブレット端末等の携帯機器等であってもよい。
【００１２】
＜投影装置の構成＞
図２は、実施形態に係る投影装置１００の構成を例示するブロック図である。
【００１３】
図２に示す様に、投影装置１００は、受信部１１０、メインＣＰＵ１１１、サブＣＰＵ１１４、操作部１１６、記憶部１１７、投影画像制御部１１８、電力供給部１２０、投影部１２２を有する。
【００１４】
受信部１１０は、例えばＬＡＮ等のネットワーク（有線又は無線の別は問わない）に接続又は端末２００に接続するハードウェアであり、例えば端末２００から画像データ等を受信する。
【００１５】
メインＣＰＵ１１１は、投影装置１００の各部の動作を制御するコントローラであり、例えばＲＡＭ等にロードされたプログラムを処理することにより、画像処理部１１２、判定部１１３等の各種の機能を実現する。画像処理部１１２は、受信部１１０が受信した画像データに画像処理を施し、記憶部１１７及び投影画像制御部１１８等との間で画像データを送受信する。判定部１１３は、受信部１１０が受信した画像データに基づき、端末２００が省電力モードであるか否かを判定する。判定部１１３における判定方法については後述する。
【００１６】
サブＣＰＵ１１４は、投影装置１００が省電力モードに移行してメインＣＰＵ１１１への電力供給が遮断された場合に、各部の制御を行うサブコントローラである。サブＣＰＵ１１４は、例えばＲＡＭ等にロードされたプログラムを処理することにより、電力制御部１１５等の各種の機能を実現する。電力制御部１１５は、判定部１１３の判定結果に基づき、端末２００が省電力モードである場合に、電力供給部１２０を制御して内蔵機器への電力供給を制限する。
【００１７】
操作部１１６は、ユーザからの入力の受け付けを行うためのボタン等の入力手段や、タッチパネル機能を有する液晶パネル等の操作画面等を備えるハードウェアである。
【００１８】
記憶部１１７は、例えばＲＯＭ，ＲＡＭ，ＨＤＤ等であり、投影部１２２により投影される投影画像（表示画像）、端末２００等のスクリーンセーバーの画像パターン、カーソル画像を記憶する。
【００１９】
投影画像制御部１１８は、投影部１２２を制御して、受信部１１０が端末２００から受信し、画像処理部１１２により画像処理された画像データをスクリーン３００等に投影させるドライバであり、表示画像制御部の一例である。
【００２０】
電力供給部１２０は、電力制御部１１５に制御され、投影装置１００の各部に電力を供給する。
【００２１】
投影部１２２は、表示部の一例であり、例えば光源、液晶パネル、レンズ等を含み、投影画像制御部１１８により制御されて受信部１１０が端末２００から受信した画像データをスクリーン３００に投影する。
【００２２】
＜画像投影処理＞
次に、投影装置１００における画像投影処理について説明する。図３は、実施形態における画像投影処理のフローチャートを例示する図である。
【００２３】
図３に示す様に、ステップＳ１０１にて、受信部１１０が端末２００から画像データを受信すると、ステップＳ１０２にて、判定部１１３が、受信された画像データに基づいて端末２００が省電力モードであるか否かを判定する。
【００２４】
図４は、実施形態における端末２００のモード判定処理のフローチャートを例示する図である。
【００２５】
判定部１１３におけるモード判定処理では、まずステップＳ２０１にて、受信部１１０が受信した画像データが全面黒色であるか否かを判定する。端末２００が省電力モードに移行してディスプレイへの画像表示を停止した場合には、投影装置１００に全面黒色の画像データが送信されることから、画像データが全面黒色である場合には、端末２００が省電力モードであると判定できる。
【００２６】
画像データが全面黒色である場合（ステップＳ２０１：ＹＥＳ）には、ステップＳ２０５にて、端末２００が省電力モードであると判定し、端末２００のモード判定処理を終了する。
【００２７】
画像データが全面黒色ではない場合（ステップＳ２０１：ＮＯ）には、ステップＳ２０２にて、画像データがスクリーンセーバー画像であるか否かを判定する。記憶部１１７には、スクリーンセーバー画像に用いられる画像パターンが複数保存されており、判定部１１３は、記憶部１１７に記憶されている画像パターンの有無により、画像データがスクリーンセーバー画像であるか否かを判定する。
【００２８】
また、判定部１１３は、図５に示す様に、画像データにおけるマウスポインタ等のカーソル画像３０１の有無に基づいて、画像データがスクリーンセーバー画像であるか否かを判定してもよい。スクリーンセーバー画像にはカーソル画像３０１が含まれないことから、判定部１１３は、カーソル画像３０１を含まない画像データを、スクリーンセーバー画像と判定できる。この場合、記憶部１１７には形状が異なる複数のカーソル画像が保存されており、判定部１１３は、記憶部１１７に記憶されているカーソル画像の有無により、画像データがスクリーンセーバー画像であるか否かを判定できる。
【００２９】
判定部１１３は、画像データがスクリーンセーバー画像である場合には、端末２００が省電力モードであると判定する。
【００３０】
また、ステップＳ２０３にて、判定部１１３が画像データにおいて移動するアイコンの有無を確認する。図６に示す様に、画像データが移動するアイコン３０２を含む場合には、アイコン３０２がマウスポインタ等である可能性が高いことから、ステップＳ２０４にて、判定部１１３がアイコン３０２を抽出し、カーソル画像として記憶部１１７に保存する。判定部１１３は、記憶部１１７に保存される多様なカーソル画像に基づいて、画像データがスクリーンセーバー画像であるか否かを判定可能になる。
【００３１】
ステップＳ２０６では、判定部１１３は、画像データが全面黒色でもなく、スクリーンセーバー画像とも異なることから、端末２００が省電力モードではなく通常モードであると判定し、端末２００のモード判定処理を終了する。
【００３２】
なお、判定部１１３は、端末２００から送信される省電力モードへの移行通知に基づいて判定を行ってもよい。この場合には、図７に示す様に、まずステップＳ３０１にて、判定部１１３は、受信部１１０が端末２００から省電力モードへの移行通知を受信したか否かを確認する。
【００３３】
受信部１１０が端末２００から省電力モードへの移行通知を受信した場合（ステップＳ３０１：ＹＥＳ）には、ステップＳ３０２にて、判定部１１３は端末２００が省電力モードであると判定して処理を終了する。
【００３４】
受信部１１０が端末２００から省電力モードへの移行通知を受信していない場合（ステップＳ３０１：ＮＯ）には、ステップＳ３０３にて、判定部１１３は端末２００が省電力モードではない判定して処理を終了する。
【００３５】
以上で説明した様に、判定部１１３は、画像データ又は端末２００からの省電力モードへの移行通知に基づいて、端末２００が省電力モードであるか否かを判断する。
【００３６】
図３に示すフローチャートに戻り、ステップＳ１０２にて端末２００のモード判定処理が実施されると、ステップＳ１０３にて、画像処理部１１２が判定部１１３の判定結果を確認する。
【００３７】
端末２００が省電力モードではなかった場合（ステップＳ１０３：ＮＯ）には、ステップＳ１０４にて、電力制御部１１５が、省電力制御を行っていた場合にはメインＣＰＵ１１１等への電力供給の制限を解除して通常電力制御に戻す。
【００３８】
次に、画像処理部１１２が、ステップＳ１０５にて画像データに画像処理を施し、ステップＳ１０６にて画像処理を施した画像データを記憶部１１７に保存する。この様に、記憶部１１７には、端末２００の通常モード時に投影部１２２により投影された投影画像が保存される。
【００３９】
最後に、ステップＳ１０７にて、投影部１２２が、画像処理部１１２により画像処理が施された画像データをスクリーン３００に投影して処理を終了する。
【００４０】
端末２００が省電力モードであった場合（ステップＳ１０３：ＹＥＳ）には、ステップＳ１０８にて、画像処理部１１２が記憶部１１７に記憶されている投影画像を取得する。画像処理部１１２は、端末２００が省電力モードに移行する前に投影された投影画像を記憶部１１７から取得し、投影画像制御部１１８を介して投影部１２２に投影させる。
【００４１】
投影装置１００は、端末２００が省電力モードに移行した後であっても、記憶部１１７に保存されている投影画像を投影することで、会議等に必要な画像を継続して表示することができる。
【００４２】
次にステップＳ１０９では、投影装置１００が省電力制御されていない場合には、電力制御部１１５が電力供給部１２０を制御して、例えば投影画像制御部１１８や投影部１２２への電力供給は維持した状態で、メインＣＰＵ１１１等への電力供給を遮断する。
【００４３】
この様に、端末２００の省電力モードへの移行に伴って、投影装置１００でも省電力モードに移行することで、消費電力量を低減できる。なお、この場合においても、投影画像制御部１１８及び投影部１２２には引き続き電力が供給されるため、スクリーン３００への画像の投影は継続される。
【００４４】
最後に、ステップＳ１０７にて、投影部１２２が、記憶部１１７から取得された端末２００の省電力モードへの移行前の投影画像を投影し、処理を終了する。
【００４５】
以上で説明した様に、投影装置１００では、端末２００が省電力モードに移行する前に投影された投影画像が記憶部１１７に保存され、端末２００が省電力モードに移行したと判定された場合には、記憶部１１７に保存されている投影画像が投影される。したがって、端末２００が省電力モードに移行した場合であっても、投影装置１００は、端末２００から受信する全面黒色の画像やスクリーンセーバー画像等は投影せず、端末２００の省電力モードへの移行前に投影されていた画像を引き続き投影する。このため、端末２００が省電力モードに移行した場合であっても、投影画像はスクリーンセーバー画像等に切り替わることがなく、会議等の進行が妨げられることがない。また、投影装置１００は、端末２００の省電力モードへの移行に伴って、例えばメインＣＰＵ１１１等への電力供給を制限することで、消費電力が低減される。
【００４６】
なお、画像表示装置の一例として投影装置１００について説明したが、画像表示装置としては、例えば液晶ディスプレイ、有機ＥＬディスプレイ等を表示部として備えるディスプレイ装置であってもよい。この様なディスプレイ装置であっても、上記した投影装置１００と同様の構成を備えることで、接続される端末の省電力モードへの移行に伴って、表示画像がスクリーンセーバー画像等に切り替えられることがない。したがって、例えばこの様なディスプレイ装置を用いた会議等において、表示画像が切り替わって進行が妨げられる様なことがなくなる。
【００４７】
以上、実施形態に係る画像表示装置及び画像表示方法について説明したが、本発明は上記実施形態に限定されるものではなく、本発明の範囲内で種々の変形及び改良が可能である。
【符号の説明】
【００４８】
１００  投影装置（画像表示装置）
１１０  受信部
１１３  判定部
１１５  電力制御部
１１７  記憶部
１１８  投影画像制御部（表示画像制御部）
１２２  投影部（表示部）
２００  端末
【先行技術文献】
【特許文献】
【００４９】
【特許文献１】特開２００６−３０８９３４号公報
【図１】
2015155940.tif 000003
【図２】
2015155940.tif 000004
【図３】
2015155940.tif 000005
【図４】
2015155940.tif 000006
【図５】
2015155940.tif 000007
【図６】
2015155940.tif 000008
【図７】
2015155940.tif 000009